(57)【要約】【課題】光ヘッド装置の対物レンズが光記録媒体のラジアル方向にシフトしても、アドレス情報を良好に再生することが可能な光記録媒体、光学式情報再生方法及び光学式情報再生装置を提供する。【解決手段】ランドＬに相当するトラック１にはグルーブＧと同じ深さのピット部３ａが形成されており、グルーブＧに相当するトラック２にはランドＬと同じ高さのカット部４ａが形成されている。このピット部３ａ及びカット部４ａの長さは、光源の波長がλであり、対物レンズの開口数がＮＡである光学式情報再生装置を使用する場合、（０．４２×λ／ＮＡ）乃至（０．８４×λ／ＮＡ）とする。また、トラック１及びトラック２にはピット部３ａ及びカット部４ａによりアドレス情報が記録されており、このアドレス情報をピット部３ａ及びカット部４ａからのタンジェンシャルプッシュプル信号に基づき再生する。【選択図】    図１
2004326904.tif 000002
【特許請求の範囲】
【請求項１】
ランドとグルーブとが半径方向に交互に配列され、光源の波長がλであり、対物レンズの開口数がＮＡである光学式情報再生装置を使用して再生される光記録媒体において、前記ランドに相当し前記グルーブと同等の深さのピット部が形成された第１のトラックと、前記グルーブに相当し前記ランドと同等の高さのカット部が形成された第２のトラックと、を有し、前記第１及び前記第２のトラックの前記ピット部及びカット部によりアドレス情報が記録され、前記ピット部及び前記カット部の長さが（０．４２×λ／ＮＡ）乃至（０．８４×λ／ＮＡ）であることを特徴とする光記録媒体。
【請求項２】
ランドとグルーブとが半径方向に交互に配列され、光源の波長がλであり、対物レンズの開口数がＮＡである光学式情報再生装置を使用して再生される光記録媒体において、前記ランドに相当し前記グルーブと同等の深さのピット部が形成された第１のトラックと、前記グルーブに相当し前記ランドと同等の高さのカット部が形成された第２のトラックと、を有し、前記第１及び前記第２のトラックの前記ピット部及びカット部によりアドレス情報が記録され、前記ピット部及び前記カット部の長さが（０．４２×λ／ＮＡ）以下であることを特徴とする光記録媒体。
【請求項３】
前記アドレス情報は１つの情報が複数個のピット部及びカット部により構成され、前記ピット部及び前記カット部は密集して形成されていることを特徴とする請求項１又は２に記載の光記録媒体。
【請求項４】
前記複数個のピット部及びカット部の長さ又は間隔が変調されていることを特徴とする請求項３に記載の光記録媒体。
【請求項５】
前記アドレス情報は１つの情報が複数個のピット部及びカット部により構成され、前記ピット部及び前記カット部は分散して形成されていることを特徴とする請求項１又は２に記載の光記録媒体。
【請求項６】
前記複数個のピット部及びカット部の有無又は位置が変調されていることを特徴とする請求項５に記載の光記録媒体。
【請求項７】
前記第１のトラックにおける前記ピット部を含む部分及び前記第２のトラックにおける前記カット部を含む部分には、記録マークが形成されていないことを特徴とする請求項１乃至６のいずれか１項に記載の光記録媒体。
【請求項８】
前記第１のトラックにおける前記ピット部を含む部分及び前記第２のトラックにおける前記カット部を含む部分には、長さが等しい複数個の記録マークが形成されていることを特徴とする請求項１乃至６のいずれか１項に記載の光記録媒体。
【請求項９】
ランドとグルーブとが半径方向に交互に配列され、光源の波長がλであり、対物レンズの開口数がＮＡである光学式情報再生装置を使用して再生される光記録媒体において、グルーブに相当し前記ランドと同等の高さのカット部が形成されたトラックを有し、前記トラックの前記カット部によりアドレス情報が記録されていることを特徴とする光記録媒体。
【請求項１０】
前記カット部の長さが（０．４９×λ／ＮＡ）乃至（０．９９×λ／ＮＡ）であることを特徴とする請求項９に記載の光記録媒体。
【請求項１１】
前記アドレス情報は１つの情報が複数個のカット部により構成され、前記カット部は密集して形成されていることを特徴とする請求項９又は１０に記載の光記録媒体。
【請求項１２】
前記複数個のカット部の長さ又は間隔が変調されていることを特徴とする請求項１１に記載の光記録媒体。
【請求項１３】
前記アドレス情報は１つの情報が複数個のカット部により構成され、前記カット部は分散して形成されていることを特徴とする請求項９又は１０に記載の光記録媒体。
【請求項１４】
前記複数個のカット部の有無又は位置が変調されていることを特徴とする請求項１３に記載の光記録媒体。
【請求項１５】
前記トラックにおける前記カット部を含む部分には、記録マークが形成されていないことを特徴とする請求項９乃至１４のいずれか１項に記載の光記録媒体。
【請求項１６】
前記トラックにおける前記カット部を含む部分には、長さが等しい複数個の記録マークが形成されていることを特徴とする請求項９乃至１４のいずれか１項に記載の光記録媒体。
【請求項１７】
光源の波長がλであり対物レンズの開口数がＮＡである光学式情報再生装置を使用し、ランドとグルーブとが半径方向に交互に配列され、前記ランドに相当し前記グルーブと同等の深さのピット部が形成された第１のトラックと、前記グルーブに相当し前記ランドと同等の高さのカット部が形成された第２のトラックと、を有し、前記第１及び第２のトラックの前記ピット部及びカット部によりアドレス情報が記録されている光記録媒体の前記アドレス情報を、前記ピット部及び前記カット部からのタンジェンシャルプッシュプル信号により再生することを特徴とする光学式情報再生方法。
【請求項１８】
前記ピット部及び前記カット部の長さが（０．４２×λ／ＮＡ）乃至（０．８４×λ／ＮＡ）であることを特徴とする請求項１７に記載の光学情報再生方法。
【請求項１９】
光源の波長がλであり、対物レンズの開口数がＮＡである光学式情報再生装置を使用し、ランドとグルーブとが半径方向に交互に配列され、前記ランドに相当し前記グルーブと同等の深さのピット部が形成された第１のトラックと、前記グルーブに相当し前記ランドと同等の高さのカット部が形成された第２のトラックと、を有し、前記第１及び第２のトラックの前記ピット部及びカット部によりアドレス情報が記録されている光記録媒体の前記アドレス情報を、前記ピット部及び前記カット部からの和信号により再生することを特徴とする光学式情報再生方法。
【請求項２０】
前記ピット部及び前記カット部の長さが（０．４２×λ／ＮＡ）以下であることを特徴とする請求項１９に記載の光学式情報再生方法。
【請求項２１】
光源の波長がλであり、対物レンズの開口数がＮＡである光学式情報再生装置を使用し、ランドとグルーブとが半径方向に交互に配列され、前記グルーブに相当し前記ランドと同等の高さのカット部が形成されたトラックを有し、前記トラックの前記カット部によりアドレス情報が記録されている光記録媒体の前記アドレス情報を、前記カット部からのタンジェンシャルプッシュプル信号により再生することを特徴とする光学式情報再生方法。
【請求項２２】
光源の波長がλであり、対物レンズの開口数がＮＡである光学式情報再生装置を使用し、ランドとグルーブとが半径方向に交互に配列され、前記グルーブに相当し前記ランドと同等の高さのカット部が形成されたトラックを有し、前記トラックの前記カット部によりアドレス情報が記録されている光記録媒体の前記アドレス情報を、前記カット部からの和信号により再生することを特徴とする光学式情報再生方法。
【請求項２３】
前記カット部の長さが（０．４９×λ／ＮＡ）乃至（０．９９×λ／ＮＡ）であることを特徴とする請求項２１又は２２に記載の光学式情報再生方法。
【請求項２４】
波長がλである光源と、開口数がＮＡである対物レンズを備え前記光源から出射された光を請求項１乃至１６のいずれか１項に記載の光記録媒体へ導く光学系と、複数個の受光部が設けられた光検出器と、前記光記録媒体からの反射光を前記光検出器へ導く光学系と、前記光検出器が受光した光から前記光記録媒体に記録されているアドレス情報を再生する回路系と、を有することを特徴とする光学式情報再生装置。
【請求項２５】
前記アドレス情報は、前記複数個の受光部で受光した光から演算により求めたタンジェンシャルプッシュプル信号又は和信号により再生されることを特徴とする請求項２４に記載の光学式情報再生装置。
【発明の詳細な説明】
【０００１】
【発明の属する技術分野】
本発明は、光記録媒体、光学式情報再生方法及び光学式情報再生装置に関し、特に、ランド／グルーブ記録方式及びグルーブ記録方式が適用される光記録媒体、光学式情報再生方法及び光学式情報再生装置に関する。
【０００２】
【従来の技術】
書き換え可能型光記録媒体における高密度化の１つの方法として、ランド／グルーブ記録が知られている。従来、光記録媒体は、基板上に溝（グルーブ）を設け、このグルーブのみにデータを記録していたが、前記ランド／グルーブ記録は、凹部であるグルーブとこのグルーブに隣接した凸部であるランドとの双方にデータを記録するものであり、例えば、ＤＶＤ−ＲＡＭ等において実用化されている。また、書き換え可能型光記録媒体の高密度化の別の方法として、記録層の２層化が知られている。この方法は、ＤＶＤ−ＲＯＭで実用化されているが、記録層が２層になっている光記録媒体に記録又は再生を行う場合、一方の記録層からの反射光に他方の記録層からの反射光（迷光）が混入して、フォーカス／トラック誤差信号及びＲＦ信号にオフセットが発生する。この迷光の量が一定であればオフセットを電気的に補正することができるが、迷光の量が変動するとオフセットを電気的に補正することができず、記録及び再生を正しく行うことができない。
【０００３】
また、書き換え可能型光記録媒体には、データを記録する際の位置情報となるアドレス情報が予め記録されている。例えば、ＤＶＤ−ＲＡＭにおいては、前述のランド／グルーブ記録方式を採用しているため、このアドレス情報もランド及びグルーブの各々に必要になる。そこで、ＤＶＤ−ＲＡＭでは、アドレス情報をデータの記録トラック（ランド又はグルーブ）に対して、中心線上から外周方向及び内周方向に（１／２）トラックずらして配置するＣＡＰＡ（Ｃｏｍｐｌｉｍｅｎｔａｒｙ  Ａｌｌｏｃａｔｅｄ  Ｐｉｔ  Ａｄｄｒｅｓｓ）方式が使用されている。
【０００４】
ＤＶＤ−ＲＡＭにおいては、ＣＡＰＡが形成されていない部分ではグルーブの面積とランドの面積とがほぼ等しいが、ＣＡＰＡが形成されている部分ではグルーブと同じ深さの部分の面積とランドと同じ高さの部分の面積とが等しくないため、ＣＡＰＡが形成されていない部分とＣＡＰＡが形成されている部分とでは巨視的に見た反射率が異なる。このような光記録媒体の記録層を２層化すると、ＣＡＰＡが形成されていない部分からの迷光の量とＣＡＰＡが形成されている部分からの迷光の量とが異なるという問題がある。即ち、光記録媒体において、ランド／グルーブ記録と記録層の２層化とを両立させるためには、アドレス情報を含む構造が予め形成されている部分において、グルーブと同じ深さの部分の面積とランドと同じ高さの部分の面積とをほぼ等しくする必要がある。
【０００５】
従来、アドレス情報を含む構造が予め形成されている部分において、グルーブと同じ深さの部分の面積と、ランドと同じ高さの部分の面積とがほぼ等しいランド／グルーブ記録方式の光記録媒体が提案されている（例えば、特許文献１参照）。図２１はこの光記録媒体におけるアドレス情報を含む構造を示す模式図である。図２１において、トラック２１はランド（Ｌ）に相当し、トラック２２はグルーブ（Ｇ）に相当する。トラック２１上にはグルーブと同じ深さのピット部２３が形成されており、トラック２２上にはランドと同じ高さの凸部で溝を分断するカット部２４が形成されている。このピット部２３とカット部２４とは、光記録媒体のラジアル方向に互いに隣接して形成されている。トラック２１及びトラック２２に記録されているアドレス情報は、このピット部２３及びカット部２４により構成されており、ピット部２３及びカット部２４からのラジアルプッシュプル信号により再生される。
【０００６】
図２２は横軸に光記録媒体のタンジェンシャル方向に沿った集光スポット位置をとり、縦軸にミラー部からの反射光のレベルで規格化した信号レベルをとって、特許文献１に記載の光記録媒体におけるピット部及びカット部からのラジアルプッシュプル信号を示すグラフ図である。この計算は、一般的なスカラー回折理論に基づいて行っている（例えば、非特許文献１参照）。また、計算条件は、光源の波長が４０５ｎｍ、対物レンズの開口数が０．６５、トラックピッチ（ランド及びグルーブの幅）が０．３４μｍ、グルーブの深さが４５ｎｍ、チャネルビット長が０．０８７μｍであり、ピット部２３及びカット部２４の中心は０に対応している。なお、図２２には、チャネルビット長をＴとしたとき、ピット部２３及びカット部２４の長さを２Ｔ乃至８Ｔまで変化させた場合の波形を重ねて示している。また、トラック２１における波形とトラック２２における波形とは同じである。
【０００７】
一方、追記型光記録媒体には、記録後に再生専用型の光記録媒体と同じように再生専用型の光学式情報再生装置で再生できることが求められる。このためには、記録後に再生専用型の光記録媒体と同じように位相差法によるトラック誤差信号が得られなければならない。グルーブのみに情報の記録を行うグルーブ記録においては、記録後に位相差法によるトラック誤差信号が得られるが、ランド／グルーブ記録では、記録後に位相差法によるトラック誤差信号が得られない。このため、一般に、追記型光記録媒体には、グルーブ記録が使用されている。
【０００８】
この追記型光記録媒体にも、記録時に必要なアドレス情報を含む構造が予め形成されていることが求められている。書き換え可能型光記録媒体と追記型光記録媒体との両方に対して、同一の光学式情報再生装置により情報の記録又は再生を行う場合、両方のアドレス情報が同じ方法で再生できることが望ましい。図２１に示したアドレス情報を含む構造が形成された書き換え可能型の光記録媒体においては、アドレス情報はラジアルプッシュプル信号に基づいて再生される。従って、追記型光記録媒体においても、アドレス情報をラジアルプッシュプル信号に基づいて再生できれば、両方に対して同一の光学式情報再生装置により容易に情報の記録や再生を行うことができる。
【０００９】
そこで、グルーブ記録方式で、アドレス情報をラジアルプッシュプル信号に基づいて再生することができる光記録媒体が開発されている（例えば、特許文献２参照）。この光記録媒体は、例えばＤＶＤ−Ｒとして実用化されている。図２３はこの光記録媒体におけるアドレス情報を含む構造を示す模式図である。ＤＶＤ−Ｒにおいては、このような構造はＬＰＰ（Ｌａｎｄ  Ｐｒｅ−Ｐｉｔ）と呼ばれている。図２３において、トラック２５はグルーブ（Ｇ）に相当する。隣接するグルーブの間に挟まれたランド上には、アドレス情報が記録されたピット部２６が形成されている。ピット部２６はグルーブと同じ深さであり、アドレス情報はピット部２６からのラジアルプッシュプル信号に基づいて再生される。
【００１０】
図２４は横軸に光記録媒体のタンジェンシャル方向に沿った集光スポット位置をとり、縦軸にミラー部からの反射光のレベルで規格化した信号レベルをとって、特許文献２に記載の光記録媒体におけるピット部からのラジアルプッシュプル信号を示すグラフ図である。この計算も、前述の図２２と同様に、一般的なスカラー回折理論に基づくものである。また、計算条件は、光源の波長が４０５ｎｍ、対物レンズの開口数が０．６５、トラックピッチが０．４μｍ、グルーブの深さが２５ｎｍ、チャネルビット長が０．１０３μｍであり、ピット部２６の中心が０に対応している。なお、図２４には、チャネルビット長をＴとしたとき、ピット部２６の長さを２Ｔから８Ｔまで変化させた場合のトラック２５における波形を重ねて示している。
【００１１】
【特許文献１】
特開２００２−２３０７８８号公報  （第５−７頁、第１図）
【特許文献２】
特開平９−３２６１３８号公報  （第３−４頁、第３図）
【非特許文献１】
Ｈ．  Ｈ．  Ｈｏｐｋｉｎｓ，「Ｄｉｆｆｒａｃｔｉｏｎ  ｔｈｅｏｒｙ  ｏｆ  ｌａｓｅｒ  ｒｅａｄ−ｏｕｔ  ｓｙｓｔｅｍｓ  ｆｏｒ  ｏｐｔｉｃａｌ  ｖｉｄｅｏ  ｄｉｓｃｓ」，”Ｊｏｕｒｎａｌ  ｏｆ  Ｏｐｔｉｃａｌ  Ｓｏｃｉｅｔｙ  ｏｆ  Ａｍｅｒｉｃａ”，（米国），１９７９年１月，第６９巻，第１号，ｐ．４−２４
【００１２】
【発明が解決しようとする課題】
しかしながら、上述の従来の技術には以下に示す問題点がある。特許文献１及び２に記載の従来の光記録媒体は、アドレス情報をラジアルプッシュプル信号に基づいて再生した場合、再生に用いる光ヘッド装置の対物レンズが光記録媒体のラジアル方向にシフトすると、アドレス情報を良好に再生することができなくなるという問題点がある。この対物レンズの光記録媒体のラジアル方向へのシフトは、光記録媒体の偏心及び光ヘッド装置組み立て時の製造誤差等により生じる。
【００１３】
図２５は横軸に対物レンズのラジアル方向へのシフト量をとり、縦軸にミラー部からの反射光のレベルで規格化した信号振幅をとって、特許文献１に記載の光記録媒体における対物レンズのラジアル方向へのシフト量とピット部及びカット部からのラジアルプッシュプル信号の振幅との関係を示すグラフ図である。図２５における計算条件及び計算方法は、図２２と同じである。但し、チャネルビット長をＴとしたときのピット部２３及びカット部２４の長さは４Ｔとした。なお、図２５においては、対物レンズの中心が対物レンズへの入射光の強度ピークと一致した状態が０に対応しており、トラック２１における信号振幅とトラック２２における信号振幅とは同じである。図２５に示すように、信号振幅の変化は対物レンズのラジアル方向へのシフトの符号に関して非対称であり、対物レンズのラジアル方向へのシフト量が負の場合に信号振幅の低下が大きい。例えば、対物レンズのラジアル方向へのシフト量が−０．３ｍｍである場合、対物レンズのラジアル方向へのシフトがない場合に比べ、信号振幅は約６３％に低下する。このため、この光記録媒体においては、アドレス情報を良好に再生することができなくなる。
【００１４】
一方、図２６は横軸に対物レンズのラジアル方向へのシフト量をとり、縦軸にミラー部からの反射光のレベルで規格化した信号振幅をとって、特許文献２に記載の光記録媒体における対物レンズのラジアル方向へのシフト量とピット部からのラジアルプッシュプル信号の振幅との関係を示すグラフ図である。図２６における計算条件及び計算方法は、図２４と同じである。但し、チャネルビット長をＴとしたときのピット部２６の長さは４Ｔとした。また、対物レンズの中心が対物レンズへの入射光の強度ピークと一致した状態が０に対応している。図２６に示すように、信号振幅の変化は対物レンズのラジアル方向へのシフトの符号に関して非対称であり、対物レンズのラジアル方向へのシフト量が負の場合に信号振幅の低下が大きい。例えば、対物レンズのラジアル方向へのシフト量が−０．３ｍｍの場合、対物レンズのラジアル方向へのシフトがない場合に比べ、信号振幅は約８８％に低下する。このため、この光記録媒体においては、アドレス情報を良好に再生することができなくなる。
【００１５】
本発明はかかる問題点に鑑みてなされたものであって、光ヘッド装置の対物レンズが光記録媒体のラジアル方向にシフトしても、アドレス情報を良好に再生することが可能な光記録媒体、光学式情報再生方法及び光学式情報再生装置を提供することを目的とする。
【００１６】
【課題を解決するための手段】
本願第１発明に係る光記録媒体は、ランドとグルーブとが半径方向に交互に配列され、光源の波長がλであり、対物レンズの開口数がＮＡである光学式情報再生装置を使用して再生される光記録媒体において、前記ランドに相当し前記グルーブと同等の深さのピット部が形成された第１のトラックと、前記グルーブに相当し前記ランドと同等の高さのカット部が形成された第２のトラックと、を有し、前記第１及び前記第２のトラックの前記ピット部及びカット部によりアドレス情報が記録され、前記ピット部及び前記カット部の長さが（０．４２×λ／ＮＡ）乃至（０．８４×λ／ＮＡ）であることを特徴とする。
【００１７】
本発明においては、前記ピット部及び前記カット部の長さを（０．４２×λ／ＮＡ）乃至（０．８４×λ／ＮＡ）にすることにより、ピット部及びカット部の長さが最適化され、タンジェンシャルプッシュプル信号により再生を行う際に良好な信号が得られ、特に、ランド／グルーブ記録方式において有効である。
【００１８】
本願第２発明に係る光記録媒体は、ランドとグルーブとが半径方向に交互に配列され、光源の波長がλであり、対物レンズの開口数がＮＡである光学式情報再生装置を使用して再生される光記録媒体において、前記ランドに相当し前記グルーブと同等の深さのピット部が形成された第１のトラックと、前記グルーブに相当し前記ランドと同等の高さのカット部が形成された第２のトラックと、を有し、前記第１及び前記第２のトラックの前記ピット部及びカット部によりアドレス情報が記録され、前記ピット部及び前記カット部の長さが（０．４２×λ／ＮＡ）以下であることを特徴とする。
【００１９】
本発明においては、前記ピット部及び前記カット部の長さを（０．４２×λ／ＮＡ）以下にすることにより、ピット部及びカット部の長さが最適化され、和信号により再生を行う際に良好な信号が得られる。これは、特に、ランド／グルーブ記録方式において有効である。
【００２０】
前記アドレス情報は１つの情報が複数個のピット部及びカット部により構成され、前記ピット部及び前記カット部は密集して形成されていてもよい。この場合、この複数個のピット部及びカット部は、例えば、夫々長さ又は間隔が変調されている。又は、前記ピット部及び前記カット部は分散して形成されていてもよい。この場合、前記複数個のピット部及びカット部は、例えば、有無又は位置が変調されている。
【００２１】
また、前記第１のトラックにおける前記ピット部を含む部分及び前記第２のトラックにおける前記カット部を含む部分には、記録マークが形成されていないか、又は長さが等しい複数個の記録マークが形成されていることが好ましい。これにより、前記ピット又は前記カット部からの情報と前記記録マークからの情報とを分離することができ、良好な再生信号が得られる。
【００２２】
本願第３発明に係る光記録媒体は、ランドとグルーブとが半径方向に交互に配列され、光源の波長がλであり、対物レンズの開口数がＮＡである光学式情報再生装置を使用して再生される光記録媒体において、グルーブに相当し前記ランドと同等の高さのカット部が形成されたトラックを有し、前記トラックの前記カット部によりアドレス情報が記録されていることを特徴とする。このとき、前記カット部の長さは（０．４９×λ／ＮＡ）乃至（０．９９×λ／ＮＡ）であることが好ましい。
【００２３】
本発明においては、前記カット部の長さを（０．４９×λ／ＮＡ）乃至（０．９９×λ／ＮＡ）にすることにより、前記カット部の長さが最適化され、タンジェンシャルプッシュプル信号又は和信号により再生を行う際に良好な信号が得られる。これは、特にグルーブ記録方式において有効である。
【００２４】
前記アドレス情報は１つの情報が複数個のカット部により構成され、前記カット部は密集して形成されていてもよい。この場合、この複数個のカット部は、例えば、夫々長さ又は間隔が変調されている。又は、前記カット部は分散して形成されていてもよい。この場合、前記複数個のカット部は、例えば、有無又は位置が変調されている。
【００２５】
前記トラックにおける前記カット部を含む部分には、記録マークが形成されていないか又は長さが等しい複数個の記録マークが形成されていることが好ましい。
【００２６】
本願第４発明に係る光学式情報再生方法は、光源の波長がλであり対物レンズの開口数がＮＡである光学式情報再生装置を使用し、ランドとグルーブとが半径方向に交互に配列され、前記ランドに相当し前記グルーブと同等の深さのピット部が形成された第１のトラックと、前記グルーブに相当し前記ランドと同等の高さのカット部が形成された第２のトラックと、を有し、前記第１及び第２のトラックの前記ピット部及びカット部によりアドレス情報が記録されている光記録媒体の前記アドレス情報を、前記ピット部及び前記カット部からのタンジェンシャルプッシュプル信号により再生することを特徴とする。このとき、前記ピット部及び前記カット部の長さは（０．４２×λ／ＮＡ）乃至（０．８４×λ／ＮＡ）であることが好ましい。
【００２７】
本発明においては、光記録媒体からの反射光をタンジェンシャル方向に２分割したときの各領域における光量の差であるタンジェンシャルプッシュプル信号により再生を行うため、対物レンズがラジアル方向にシフトしても、各領域における光量のバランスは殆んど変化せず、振幅の変化が少ない。このため、アドレス情報を良好に再生することができる。
【００２８】
本願第５発明に係る光学式情報再生方法は、光源の波長がλであり、対物レンズの開口数がＮＡである光学式情報再生装置を使用し、ランドとグルーブとが半径方向に交互に配列され、前記ランドに相当し前記グルーブと同等の深さのピット部が形成された第１のトラックと、前記グルーブに相当し前記ランドと同等の高さのカット部が形成された第２のトラックと、を有し、前記第１及び第２のトラックの前記ピット部及びカット部によりアドレス情報が記録されている光記録媒体の前記アドレス情報を、前記ピット部及び前記カット部からの和信号により再生することを特徴とする。このとき、前記ピット部及び前記カット部の長さは（０．４２×λ／ＮＡ）以下であることが好ましい。
【００２９】
本発明においては、光記録媒体からの反射光の光量そのものである和信号により再生するため、対物レンズがラジアル方向にシフトしても、光量そのものは殆んど変化せず、振幅の変化量が少ない。このため、アドレス情報を良好に再生することができる。
【００３０】
本願第６発明に係る光学式情報再生方法は、光源の波長がλであり、対物レンズの開口数がＮＡである光学式情報再生装置を使用し、ランドとグルーブとが半径方向に交互に配列され、前記グルーブに相当し前記ランドと同等の高さのカット部が形成されたトラックを有し、前記トラックの前記カット部によりアドレス情報が記録されている光記録媒体の前記アドレス情報を、前記カット部からのタンジェンシャルプッシュプル信号により再生することを特徴とする。このとき、前記カット部の長さは（０．４９×λ／ＮＡ）乃至（０．９９×λ／ＮＡ）であることが好ましい。
【００３１】
本発明においては、タンジェンシャルプッシュプル信号により再生を行うため、対物レンズがラジアル方向にシフトしても、各領域における光量のバランスが変化しないため、アドレス情報を良好に再生することができる。
【００３２】
本願第７発明に係る光学式情報再生方法は、光源の波長がλであり、対物レンズの開口数がＮＡである光学式情報再生装置を使用し、ランドとグルーブとが半径方向に交互に配列され、前記グルーブに相当し前記ランドと同等の高さのカット部が形成されたトラックを有し、前記トラックの前記カット部によりアドレス情報が記録されている光記録媒体の前記アドレス情報を、前記カット部からの和信号により再生することを特徴とする。このとき、前記カット部の長さは（０．４９×λ／ＮＡ）乃至（０．９９×λ／ＮＡ）であることが好ましい。
【００３３】
本発明においては、和信号により光記録媒体に記録されている情報を再生するため、対物レンズがラジアル方向にシフトしても、光量そのものは変化しないため、アドレス情報を良好に再生することができる。
【００３４】
本願第８発明に係る光学式情報再生装置は、波長がλである光源と、開口数がＮＡである対物レンズを備え前記光源から出射された光を前記光記録媒体へ導く光学系と、複数個の受光部が設けられた光検出器と、前記光記録媒体からの反射光を前記光検出器へ導く光学系と、前記光検出器が受光した光から前記光記録媒体に記録されているアドレス情報を再生する回路系と、を有することを特徴とする。
【００３５】
前記アドレス情報は、例えば、前記複数個の受光部で受光した光から演算により求めたタンジェンシャルプッシュプル信号又は和信号より再生することができる。
【００３６】
【発明の実施の形態】
以下、本発明の実施の形態について添付の図面を参照して具体的に説明する。図１は本発明の第１の実施形態の光記録媒体におけるアドレス情報を含む構造を示す模式図である。本発明の第１の実施形態に係る光記録媒体は、幅が等しいランドＬ及びグルーブＧが半径方向に交互に配列されている。図１に示すトラック１はランドＬに相当し、トラック２はグルーブＧに相当する。また、トラック１にはグルーブと同等の深さのピット部３ａが形成されており、トラック２にはランドと同等の高さの凸部であり溝（グルーブ）を分断するカット部４ａが形成されている。このピット部３ａ及びカット部４ａは夫々ラジアル方向（半径方向）に互いに隣接して形成されている。また、トラック１及びトラック２にはアドレス情報が記録されており、このアドレス情報は、ピット部３ａ及びカット部４ａにより構成されている。
【００３７】
次に、本実施形態の光記録媒体の再生方法について説明する。本実施形態の光記録媒体のアドレス情報は、ピット部３ａ及びカット部４ａからのタンジェンシャルプッシュプル信号又は和信号に基づいて再生される。
【００３８】
先ず、タンジェンシャルプッシュプル信号を利用した光情報再生方法について説明する。図２は横軸に光記録媒体のタンジェンシャル方向に沿った集光スポット位置をとり、縦軸にミラー部からの反射光のレベルで規格化した信号レベルをとって、本発明の第１の実施形態の光記録媒体におけるピット部３ａ及びカット部４ａからのタンジェンシャルプッシュプル信号の計算結果を示すグラフ図である。図１の結果は、非特許文献１に記載されているような一般的なスカラー回折理論に基づき、光源の波長を４０５ｎｍ、対物レンズの開口数を０．６５、トラックピッチ（ランド及びグルーブの幅）を０．３４μｍ、グルーブの深さを４５ｎｍ、チャネルビット長を０．０８７μｍとして計算したものであり、ピット部３ａ及びカット部４ａの中心が０に対応している。また、図１には、チャネルビット長をＴとし、ピット部３ａ及びカット部４ａの長さを２Ｔ乃至８Ｔまで変化させた場合のトラック１における波形を併せて示す。なお、トラック２における波形はトラック１における波形に対して極性が反転する。
【００３９】
タンジェンシャルプッシュプル信号は光記録媒体に記録した記録マークによっても変化するため、アドレス情報を正しく再生するには、ピット部３ａ及びカット部４ａからの信号と記録マークからの信号とが分離できるようにする必要がある。そのため、ピット部３ａを含むトラック１のタンジェンシャル方向に沿った一定の長さの部分、及びカット部４ａを含むトラック２のタンジェンシャル方向に沿った一定の長さの部分には、意味のあるデータを記録せず、常にマークが記録されていないか、常に一定の長さのマークが記録されていることが好ましい。そこで、本実施形態の光記録媒体におけるピット部３ａ及びカット部４ａの長さは、光源の波長をλ、対物レンズの開口数をＮＡとすると、（０．４２×λ／ＮＡ）乃至（０．８４×λ／ＮＡ）とする。
【００４０】
図２に示すように、ピット部３ａ及びカット部４ａの長さが短すぎると、タンジェンシャルプッシュプル信号の振幅が小さくなる。このため、アドレス情報を良好に再生できなくなってしまう。また、ピット部３ａ及びカット部４ａの長さが長すぎると、タンジェンシャルプッシュプル信号における極大点と極小点との間隔が長くなる。このため、常にマークを記録しないか、常に一定の長さのマークを記録する部分を長くする場合、意味のあるデータを記録する領域が減ってしまう。従って、ピット部３ａ及びカット部４ａの長さは、３Ｔ乃至６Ｔであることが好ましい。これは、（０．４２×λ／ＮＡ）乃至（０．８４×λ／ＮＡ）に相当する。
【００４１】
図３は横軸に対物レンズのラジアル方向へのシフト量をとり、縦軸にミラー部からの反射光のレベルで規格化した信号振幅をとって、本発明の第１の実施形態の光記録媒体における対物レンズのラジアル方向へのシフト量とピット部３ａ及びカット部４ａからのタンジェンシャルプッシュプル信号の振幅との関係の計算結果を示すグラフ図である。図３における計算条件及び計算方法は、前述の図２と同様であり、対物レンズの中心が対物レンズへの入射光の強度ピークと一致した状態を０とし、ピット部３ａ及びカット部４ａの長さは４Ｔとしている。なお、トラック１における信号振幅とトラック２における信号振幅とは同じである。図３に示すように、本実施形態の光記録媒体は、対物レンズがラジアル方向にシフトしても、信号振幅は殆んど変化しない。即ち、本実施形態の光記録媒体は、アドレス情報をタンジェンシャルプッシュプル信号に基づいて再生することにより、対物レンズがラジアル方向にシフトしても、アドレス情報を良好に再生することができる。
【００４２】
次に、和信号を使用した光情報再生方法について説明する。図４は横軸に光記録媒体のタンジェンシャル方向に沿った集光スポット位置をとり、縦軸にミラー部からの反射光のレベルで規格化した信号レベルをとって、本発明の第１の実施形態の光記録媒体におけるピット部３ａ及びカット部４ａからの和信号の計算結果を示すグラフ図である。図４における計算条件及び計算方法は、前述の図２及び図３と同様であり、ピット部３ａ及びカット部４ａの中心が０に対応している。また、図４には、チャネルビット長をＴとし、ピット部３ａ及びカット部４ａの長さを２Ｔ乃至８Ｔまで変化させた場合の波形を併せて示す。なお、トラック１における波形とトラック２における波形とは同じである。
【００４３】
和信号は光記録媒体に記録した記録マークによっても変化するため、アドレス情報を正しく再生するには、ピット部３ａ及びカット部４ａからの信号と記録マークからの信号が分離できるようにする必要がある。そのため、ピット部３ａを含むトラック１のタンジェンシャル方向に沿った一定の長さの部分、及びカット部４ａを含むトラック２のタンジェンシャル方向に沿った一定の長さの部分には、意味のあるデータを記録せず、常にマークが記録されていないか、常に一定の長さのマークが記録されていることが好ましい。そこで、本実施形態の光記録媒体におけるピット部３ａ及びカット部４ａの長さは、光源の波長がλ、対物レンズの開口数がＮＡである場合、（０．４２×λ／ＮＡ）以下とする。
【００４４】
図４に示すように、ピット部３ａ及びカット部４ａの長さが短いと、和信号は単一の極小点を有する波形となる。しかしながら、ピット部３ａ及びカット部４ａの長さが長すぎると、和信号は２つの極小点の間に極大点を持つ歪んだ波形となる。このため、アドレス情報を良好に再生できなくなってしまう。また、ピット部３ａ及びカット部４ａの長さが長すぎると、和信号における２つの極小点の間隔が長くなる。このため、常にマークを記録しないか又は常に一定の長さのマークを記録する部分を長くすると、意味のあるデータを記録する領域が減ってしまう。従って、ピット部３ａ及びカット部４ａの長さは、３Ｔ以下であることが好ましい。これは、光源の波長をλ、対物レンズの開口数をＮＡとすると、（０．４２λ／ＮＡ）以下に相当する。
【００４５】
図５は横軸に対物レンズのラジアル方向へのシフト量をとり、縦軸にミラー部からの反射光のレベルで規格化した信号振幅をとって、本発明の第１の実施形態の光記録媒体における対物レンズのラジアル方向へのシフト量とピット部３ａ及びカット部４ａからの和信号の振幅との関係の計算結果を示すグラフ図である。図５における計算条件及び計算方法は、前述の図２乃至４と同様であり、対物レンズの中心が対物レンズへの入射光の強度ピークと一致した状態を０とし、ピット部３ａ及びカット部４ａの長さは２Ｔとしている。なお、トラック１における信号振幅とトラック２における信号振幅とは同じである。図５に示すように、本実施形態の光記録媒体は、対物レンズがラジアル方向にシフトしても、信号振幅は殆んど変化しない。即ち、本実施形態の光記録媒体は、アドレス情報を和信号に基づいて再生することにより、対物レンズがラジアル方向にシフトしても、アドレス情報を良好に再生することができる。
【００４６】
次に、本実施形態の変形例に係る光記録媒体について説明する。図６は、この光記録媒体におけるアドレス情報を含む構造を示す平面図である。本実施形態の変形例の光記録媒体には、等しいトラックピッチでランドＬとグルーブＧとが半径方向に交互に配置されている。トラック１はランドＬに相当し、グルーブＧと同じ深さのピット部３ｂが形成されている。また、トラック２はグルーブＧに相当し、ランドＬと同じ高さのカット部４ｂが形成されている。このピット部３ｂ及びカット部４ｂは、ラジアル方向に互いに隣接して形成されている。更に、トラック１及びトラック２にはアドレス情報が記録されており、このアドレス情報は、ピット部３ｂ及びカット部４ｂにより構成されている。
【００４７】
本実施形態の変形例の光記録媒体におけるピット部３ｂ及びカット部３ｂの形状は、前述の第１の実施形態の光記録媒体のピット部３ａ及びカット部４ａの形状と類似しているが、ピット部３ａ及びカット部４ａは周辺部との境界が直線状であるのに対し、ピット部３ｂ及びカット部４ｂは周辺部との境界が曲線状である。それ以外の部分に関しては、ピット部３ａ及びカット部４ａの形状と、ピット部３ｂ及びカット部４ｂの形状とは基本的に同じである。実際に光記録媒体を作製するための光記録原盤を製造する際には、露光に使用する集光スポットの大きさの制限等により、ピット部及びカット部は周辺部との境界は完全な直線状ではなくある程度は曲線状になることがある。
【００４８】
このように、ピット部及びカット部と周辺部との境界が曲線状である光記録媒体においても、前述の第１の実施形態の光記録媒体と同様に、アドレス情報をピット部３ｂ及びカット部４ｂからのタンジェンシャルプッシュプル信号又は和信号に基づいて再生することができる。
【００４９】
次に、本発明の第２の実施形態に係る光記録媒体について説明する。本実施形態の光記録媒体においては、１つのアドレス情報が複数個のピット部及びカット部により構成されている。図７は本発明の第２の実施形態に係る光記録媒体におけるアドレス情報が記録されている部分を示す平面図である。本実施形態の光記録媒体は、前述の第１の実施形態と同様に、ランドＬとグルーブＧとが同じ幅で交互に配列されている。また、図７に示すトラック１はランドＬに相当し、トラック２はグルーブＧに相当する。トラック１には複数個のピット部３ａが形成され、トラック２には複数個のカット部４ａが形成されている。図７においては、ピット部３ａ及びカット部４ａの長さ及び間隔を全て等しくしているが、実際はこれらの長さ及び間隔はアドレス毎に異なる。即ち、本実施形態の光記録媒体においては、ピット部及びカット部の長さ、並びに隣接するピット部間及び隣接するカット部間の距離を変えることにより、１つのアドレス情報が複数個のピット部及びカット部により構成されている。なお、本実施形態の光記録媒体においては、これらのピット部及びカット部は、タンジェンシャル方向の一箇所に密集して形成されている場合について述べたが、本発明はこれに限定するものではなく、例えば、タンジェンシャル方向の複数箇所に分散して形成されていてもよい。
【００５０】
次に、複数個のピット部及びカット部がタンジェンシャル方向の複数箇所に分散して形成されている本実施形態の変形例について説明する。図８（ａ）及び（ｂ）は本発明の第２の実施形態の第１変形例の光記録媒体の一部を示す平面図であり、図９（ａ）及び（ｂ）は第２変形例の一部を示す平面図である。本実施形態の第１変形例に係る光記録媒体は、図８（ａ）に示す部分にはトラック１にピット部３ａ、トラック２にカット部４ａが夫々形成されているが、図８（ｂ）に示す部分にはこれらは形成されていない。このように、アドレス情報が記録される領域には、ピット部３ａ及びカット部４ａが形成されている部分と、形成されていない部分とがある。即ち、本変形例の光記録媒体においては、複数個のピット部及びカット部により１つのアドレス情報が構成され、このピット部及びカット部の有無の配列によりアドレス情報が記録されている。
【００５１】
また、本実施形態の第２変形例に係る光記録媒体は、図９（ａ）に示す部分には、トラック１の左寄りの位置にピット部３ａが、トラック２の左寄りの位置にはカット部４ａが夫々形成されている。また、図９（ｂ）に示す部分には、トラック１の右寄りの位置にピット部３ａが、トラック２の右寄りの位置にはカット部４ａが夫々形成されている。なお、ピット部３ａ及びカット部４ａが、左寄りの位置に形成されているか又は右寄りの位置に形成されているかは、アドレス毎に異なる。即ち、本変形例の光記録媒体においては、複数個のピット部及びカット部により１つのアドレス情報が構成され、このピット部及びカット部の位置を変えることによりアドレス情報が記録されている。
【００５２】
なお、本実施形態においては、ピット部３ａ及びカット部４ａと周辺部との境界が直線状である場合について述べたが、本発明はこれに限定されるものではなく、図６に示す前述の第１の実施形態の変形例の光記録媒体のように、ピット部及びカット部と周辺部との境界が曲線状でもよい。
【００５３】
次に、本実施形態の光記録媒体の再生方法について説明する。本実施形態の光記録媒体のアドレス情報は、前述の第１の実施形態と同様に、ピット部３ａ及びカット部４ａからのタンジェンシャルプッシュプル信号又は和信号に基づいて再生される。
【００５４】
次に、本発明の第３の実施形態に係る光記録媒体について説明する。図１０は本発明の第３の実施形態の光記録媒体におけるアドレス情報が記録されている部分を示す模式図である。本実施形態の光記録媒体は、グルーブ記録方式の光記録媒体であり、スパイラル状にグルーブＧが等しいトラックピッチで形成されている。図１０に示すトラック５はグルーブＧに相当する。このトラック５にはランドＬと同等の高さのカット部６ａが形成されている。また、トラック５には、アドレス情報が記録されており、このアドレス情報はカット部６ａにより構成されている。
【００５５】
次に、上述の如く構成された本実施形態の光記録媒体の再生方法について説明する。本実施形態の光記録媒体のアドレス情報は、カット部６ａからのタンジェンシャルプッシュプル信号又は和信号により再生される。
【００５６】
先ず、タンジェンシャルプッシュプル信号を使用した光情報再生方法について説明する。図１１は横軸に光記録媒体のタンジェンシャル方向に沿った集光スポット位置をとり、縦軸にミラー部からの反射光のレベルで規格化した信号レベルをとって、本発明の第３の実施形態の光記録媒体におけるカット部６ａからのタンジェンシャルプッシュプル信号の計算結果を示すグラフ図である。図１１の結果は、非特許文献１に記載されているような一般的なスカラー回折理論に基づき、光源の波長を４０５ｎｍ、対物レンズの開口数を０．６５、トラックピッチを０．４μｍ、グルーブの深さを２５ｎｍ、チャネルビット長を０．１０３μｍとして計算したものであり、カット部６ａの中心が０に対応している。また、図１１には、チャネルビット長をＴとし、カット部６ａの長さを２Ｔ乃至８Ｔまで変化させた場合のトラック１における波形を併せて示す。
【００５７】
タンジェンシャルプッシュプル信号は光記録媒体に記録した記録マークによっても変化するので、アドレス情報を正しく再生するには、カット部６ａからの信号と記録マークからの信号とが分離できるようにしなければならない。そのため、カット部６ａを含むトラック５のタンジェンシャル方向に沿った一定の長さの部分には、意味のあるデータを記録せず、常にマークが記録されていないか、又は常に一定の長さのマークが記録されていることが好ましい。そこで、本実施形態の光記録媒体におけるカット部６ａの長さは、光源の波長がλ、対物レンズの開口数がＮＡである場合、（０．４９×λ／ＮＡ）乃至（０．９９×λ／ＮＡ）とする。
【００５８】
図１１に示すように、カット部６ａの長さが短すぎると、タンジェンシャルプッシュプル信号の振幅が小さくなり、アドレス情報を良好に再生できなくなってしまう。一方、カット部６ａの長さが長すぎると、タンジェンシャルプッシュプル信号における極大点と極小点との間隔が長くなる。このため、常にマークを記録しないか、又は常に一定の長さのマークを記録する部分を長くする場合、意味のあるデータを記録する領域が減ってしまう。従って、カット部６ａの長さは、３Ｔ乃至６Ｔであることが好ましい。これは、光源の波長をλ、対物レンズの開口数をＮＡとしたとき、（０．４９×λ／ＮＡ）乃至（０．９９×λ／ＮＡ）に相当する。
【００５９】
図１２は、横軸に対物レンズのラジアル方向へのシフト量をとり、縦軸にミラー部からの反射光のレベルで規格化した信号振幅をとって、本発明の第３の実施形態の光記録媒体における対物レンズのラジアル方向へのシフト量とカット部６ａからのタンジェンシャルプッシュプル信号の振幅との関係の計算結果を示すグラフ図である。図１２における計算条件及び計算方法は、前述の図１１と同様であり、対物レンズの中心が対物レンズへの入射光の強度ピークと一致した状態が０に対応し、カット部６ａの長さは４Ｔとした。図１２に示すように、本実施形態の光記録媒体は、対物レンズがラジアル方向にシフトしても、信号振幅が殆んど変化しない。即ち、本実施形態の光記録媒体は、アドレス情報をタンジェンシャルプッシュプル信号に基づいて再生することにより、対物レンズがラジアル方向にシフトしても、アドレス情報を良好に再生することができる。
【００６０】
次に、和信号を使用した光情報再生方法について説明する。図１３は横軸に光記録媒体のタンジェンシャル方向に沿った集光スポット位置をとり、縦軸にミラー部からの反射光のレベルで規格化した信号レベルをとって、本発明の第３の実施形態の光記録媒体におけるカット部６ａからの和信号の計算結果を示すグラフ図である。この計算において使用した条件及び方法は、前述の図１１と同様であり、カット部６ａの中心が０に対応している。また、図１１には、チャネルビット長をＴとし、カット部６ａの長さを２Ｔ乃至８Ｔまで変化させた場合のトラック５における波形を併せて示す。
【００６１】
和信号は光記録媒体に記録した記録マークによっても変化するので、アドレス情報を正しく再生するには、カット部６ａからの信号と記録マークからの信号とが分離できるようにしなければならない。そのため、カット部６ａを含むトラック５のタンジェンシャル方向に沿った一定の長さの部分には、意味のあるデータを記録せず、常にマークが記録されていないか、又は常に一定の長さのマークが記録されていることが好ましい。そこで、本実施形態の光記録媒体におけるカット部６ａの長さは、光源の波長がλ、対物レンズの開口数がＮＡである場合、（０．４９×λ／ＮＡ）乃至（０．９９×λ／ＮＡ）とする。
【００６２】
図１３に示すように、カット部６ａの長さが短すぎると、和信号の振幅が小さくなり、アドレス情報を良好に再生できなくなってしまう。一方、カット部６ａの長さが長すぎると、和信号における極大点付近の信号レベルの変化が小さい部分の長さが長くなる。このため、常にマークを記録しないか、又は常に一定の長さのマークを記録する部分を長くすると、意味のあるデータを記録する領域が減ってしまう。従って、カット部６ａの長さは、３Ｔ乃至６Ｔであることが好ましい。これは、光源の波長をλ、対物レンズの開口数をＮＡとすると、（０．４９×λ／ＮＡ）乃至（０．９９×λ／ＮＡ）に相当する。
【００６３】
図１４は横軸に対物レンズのラジアル方向へのシフト量をとり、縦軸にミラー部からの反射光のレベルで規格化した信号振幅をとって、本発明の第３の実施形態の光記録媒体における対物レンズのラジアル方向へのシフト量とカット部６ａからの和信号の振幅との関係の計算結果を示すグラフ図である。図１４における計算条件及び計算方法は、前述の図１３と同様であり、対物レンズの中心が対物レンズへの入射光の強度ピークと一致した状態を０とし、カット部６ａの長さは４Ｔとしている。図１４に示すように、本実施形態の光記録媒体は、対物レンズがラジアル方向にシフトしても、信号振幅は殆んど変化しない。即ち、本実施形態の光記録媒体は、アドレス情報を和信号に基づいて再生することにより、対物レンズがラジアル方向にシフトしても、アドレス情報を良好に再生することができる。
【００６４】
次に、本実施形態の変形例について説明する。図１５は本発明の第３の実施形態の変形例の光記録媒体におけるアドレス情報が記録されている部分を示す平面図である。本実施形態の変形例の光記録媒体は、前述の第３の実施形態と同様に、グルーブ記録方式で使用され、半径方向に等間隔でグルーブＧが配置されている。図１５に示すトラック５はグルーブＧに相当し、このトラック５にはランドＬと同等の高さのカット部６ｂが形成されている。また、トラック５にはアドレス情報が記録されており、このアドレス情報はカット部６ｂにより構成されている。
【００６５】
本変形例の光記録媒体におけるカット部６ｂの形状は、前述の第３の実施形態の光記録媒体におけるカット部６ａの形状と類似しているが、カット部６ａは周辺部との境界が直線状であるのに対し、カット部６ｂは周辺部との境界が曲線状である。それ以外の部分に関しては、カット部６ａの形状とカット部６ｂの形状とは基本的に同じである。実際に光記録媒体を作製するための光記録原盤を製造する際は、露光に使用する集光スポットの大きさの制限等により、カット部は周辺部との境界が完全な直線状ではなく曲線状になることがある。
【００６６】
本変形例のようにカット部と周辺部との境界が曲線状である光記録媒体においても、前述の第３の実施形態の光記録媒体と同様に、アドレス情報をカット部６ｂからのタンジェンシャルプッシュプル信号又は和信号に基づいて再生することができる。
【００６７】
次に、本発明の第４の実施形態に係る光記録媒体について説明する。グルーブ録方式で使用される光記録媒体は、１つのアドレス情報が複数個のカット部により構成されていることが好ましい。図１６は本発明の第４の実施形態の光記録媒体におけるアドレス情報が記録されている部分を示す平面図である。本実施形態の光記録媒体は、前述の第３の実施形態と同様に、等しいトラックピッチでスパイラル状にグルーブＧが形成されている。また、図１６に示すトラック５はグルーブＧに相当し、トラック５には複数個のカット部６ａがタンジェンシャル方向の一箇所に密集して形成されている。図１６においては、カット部６ａの長さ及び間隔を全て等しくしているが、実際はこれらの長さ及び間隔はアドレス毎に異なる。即ち、本実施形態の光記録媒体においては、カット部の長さ及び隣接するカット部間の距離を変えることにより、１つのアドレス情報が複数個のカット部により構成されている。なお、本実施形態の光記録媒体においては、これらのカット部は、タンジェンシャル方向の一箇所に密集して形成されている場合について述べたが、本発明はこれに限定するものではなく、例えば、タンジェンシャル方向の複数箇所に分散して形成されていてもよい。
【００６８】
そこで、本実施形態の変形例として、カット部がタンジェンシャル方向の複数箇所に分散して形成された光記録媒体について説明する。図１７（ａ）及び（ｂ）は本実施形態の第１変形例の光記録媒体の一部分を示す平面図であり、図１８（ａ）及び（ｂ）は第２変形例の光記録媒体の一部分を示す平面図である。本実施形態の第１変形例に係る光記録媒体は、図１７（ａ）に示す部分にはトラック５にカット部６ａが形成されているが、図１７（ｂ）に示す部分にはカット部は形成されていない。このように、アドレス情報が記録される領域には、カット部６ａが形成されている部分と、形成されていない部分とがある。即ち、本変形例の光記録媒体においては、複数個のカット部により１つのアドレス情報が構成され、このカット部の有無の配列によりアドレス情報が記録されている。
【００６９】
また、本実施形態の第２変形例に係る光記録媒体は、図１８（ａ）に示す部分には、トラック５の左寄りの位置にカット部６ａが形成されており、図１８（ｂ）に示す部分には、トラック５の右寄りの位置にカット部６ａが形成されている。なお、カット部６ａが左寄りの位置に形成されているか、又は右寄りの位置に形成されているかは、アドレス毎に異なる。即ち、本変形例の光記録媒体においては、複数個のカット部により１つのアドレス情報が構成され、このカット部の位置を変えることによりアドレス情報が記録されている。
【００７０】
なお、本実施形態においては、カット部６ａと周辺部との境界が直線状である場合について述べたが、本発明はこれに限定するものではなく、例えば、カット部と周辺部との境界が曲線状でもよい。
【００７１】
次に、本発明の第５の実施形態に係る光学式情報再生装置について説明する。図１９は本実施形態の光学式情報再生装置を示すブロック図である。この光学式情報再生装置は、半導体レーザ７と光記録媒体１２との間に、半導体レーザ７側から順に、コリメータレンズ８、偏光ビームスプリッタ９、（１／４）波長板１０及び対物レンズ１１が配置されている。また、偏光ビームスプリッタ９から半導体レーザ７へ向かう方向と直交する方向には、円筒レンズ１３、レンズ１４及び光検出器１５が配置されている。この光検出器１５は円筒レンズ１３及びレンズ１４の２つの焦線の中間に設置されている。更に、光検出器１５には、プリアンプ１６が接続され、プリアンプ１６には信号処理回路１７が、信号処理回路１７には復調回路１８が接続されている。本実施形態の光学式情報再生装置においては、光記録媒体１２として前述の第１乃至第４の実施形態の光記録媒体を使用することができる。
【００７２】
次に、上述の如く構成された本実施形態の光学式情報再生装置の動作について説明する。先ず、半導体レーザ７からの出射光はコリメータレンズ８で平行光化され、偏光ビームスプリッタ９にＰ偏光として入射する。この光はほぼ完全に透過し、（１／４）波長板１０を透過して直線偏光から円偏光に変換され、対物レンズ１１により光記録媒体１２へ集光される。光記録媒体１２からの反射光は対物レンズ１１を逆向きに透過し、（１／４）波長板１０を透過して円偏光から往路と偏光方向が直交した直線偏光に変換される。この光は、偏光ビームスプリッタ９にＳ偏光として入射してほぼ完全に反射され、円筒レンズ１３及びレンズ１４を透過して光検出器１５で受光される。
【００７３】
そして、光検出器１５で受光された光は、光電変換されて電流信号となりプリアンプ１６へ送られる。プリアンプ１６へ送られた電流信号は、プリアンプ１６で電流−電圧変換及び増幅されてアナログ電圧信号となり信号処理回路１７へ送られる。信号処理回路１７へ送られたアナログ電圧信号は、信号処理回路１７で波形等化及び２値化されてディジタル電圧信号となり復調回路１８へ送られる。復調回路１８へ送られたディジタル電圧信号は、復調回路１８で復調されてアドレス情報及び記録データが再生される。
【００７４】
図２０は本実施形態の光学式情報再生装置で使用されている光検出器１５の構成を示す平面図である。図２０に示すように、光検出器１５には、光記録媒体１２のラジアル方向（半径方向）に平行な分割線及びタンジェンシャル方向（接線方向）に平行な分割線で４分割された受光部１９ａ乃至１９ｄが設けられている。光記録媒体１２からの反射光は、光検出器１５の受光部１９ａ乃至１９ｄ上に光スポット２０を形成する。この受光部１９ａ乃至１９ｄからの出力を夫々Ｖ１９ａ乃至Ｖ１９ｄとすると、タンジェンシャルプッシュプル信号は、（Ｖ１９ａ＋Ｖ１９ｃ）−（Ｖ１９ｂ＋Ｖ１９ｄ）となり、和信号は、（Ｖ１９ａ＋Ｖ１９ｂ＋Ｖ１９ｃ＋Ｖ１９ｄ）となる。
【００７５】
なお、本実施形態の光学式情報再生装置は、情報の再生のみを行う再生専用装置又は情報の記録及び再生を行う記録再生装置のどちらでもよい。また、アドレス情報の再生にはタンジェンシャルプッシュプル信号又は和信号が使用され、記録データの再生には和信号が使用される。
【００７６】
【発明の効果】
以上詳述したように、本発明によれば、光源の波長がλ、対物レンズの開口数がＮＡの光学式情報再生装置を使用する場合、ランド／グルーブ記録方式においては、光記録媒体におけるピット部及びカット部の長さを（０．４２×λ／ＮＡ）乃至（０．８４×λ／ＮＡ）にし、このピット部及びカット部からのタンジェンシャルプッシュプル信号によりアドレス情報を再生するか又は、ピット部及びカット部の長さを（０．４２×λ／ＮＡ）以下にして、ピット部及びカット部からの和信号により再生することにより、対物レンズがラジアル方向にシフトした際の振幅の変化を防ぐことができるため、アドレス情報を良好に再生することができる。また、グルーブ記録においては、光記録媒体におけるカット部の長さを（０．４９×λ／ＮＡ）乃至（０．９９×λ／ＮＡ）にして、カット部からのタンジェンシャルプッシュプル信号又は和信号によりアドレス情報を再生することにより、対物レンズがラジアル方向にシフトしてもアドレス情報を良好に再生することができる。
【図面の簡単な説明】
【図１】本発明の第１の実施形態の光記録媒体におけるアドレス情報が記録されている部分を示す模式図である。
【図２】横軸に光記録媒体のタンジェンシャル方向に沿った集光スポット位置をとり、縦軸にミラー部からの反射光のレベルで規格化した信号レベルをとって、本発明の第１の実施形態の光記録媒体におけるピット部３ａ及びカット部４ａからのタンジェンシャルプッシュプル信号の計算結果を示すグラフ図である。
【図３】横軸に対物レンズのラジアル方向へのシフト量をとり、縦軸にミラー部からの反射光のレベルで規格化した信号振幅をとって、本発明の第１の実施形態の光記録媒体における対物レンズのラジアル方向へのシフト量とピット部３ａ及びカット部４ａからのタンジェンシャルプッシュプル信号の振幅との関係の計算結果を示すグラフ図である。
【図４】横軸に光記録媒体のタンジェンシャル方向に沿った集光スポット位置をとり、縦軸にミラー部からの反射光のレベルで規格化した信号レベルをとって、本発明の第１の実施形態の光記録媒体におけるピット部３ａ及びカット部４ａからの和信号の計算結果を示すグラフ図である。
【図５】横軸に対物レンズのラジアル方向へのシフト量をとり、縦軸にミラー部からの反射光のレベルで規格化した信号振幅をとって、本発明の第１の実施形態の光記録媒体における対物レンズのラジアル方向へのシフト量とピット部３ａ及びカット部４ａからの和信号の振幅との関係の計算結果を示すグラフ図である。
【図６】本発明の第１の実施形態の変形例の光記録媒体におけるアドレス情報が記録されている部分を示す模式図である。
【図７】本発明の第２の実施形態の光記録媒体におけるアドレス情報が記録されている部分を示す模式図である。
【図８】（ａ）及び（ｂ）は本発明の第２の実施形態における第１変形例の光記録媒体の一部分を示す平面図である。
【図９】（ａ）及び（ｂ）は本発明の第２の実施形態における第２変形例の光記録媒体の一部分を示す平面図である。
【図１０】本発明の第３の実施形態の光記録媒体におけるアドレス情報が記録されている部分を示す模式図である。
【図１１】横軸に光記録媒体のタンジェンシャル方向に沿った集光スポット位置をとり、縦軸にミラー部からの反射光のレベルで規格化した信号レベルをとって、本発明の第３の実施形態の光記録媒体におけるカット部６ａからのタンジェンシャルプッシュプル信号の計算結果を示すグラフ図である。
【図１２】横軸に対物レンズのラジアル方向へのシフト量をとり、縦軸にミラー部からの反射光のレベルで規格化した信号振幅をとって、本発明の第３の実施形態の光記録媒体における対物レンズのラジアル方向へのシフト量とカット部６ａからのタンジェンシャルプッシュプル信号の振幅との関係の計算結果を示すグラフ図である。
【図１３】横軸に光記録媒体のタンジェンシャル方向に沿った集光スポット位置をとり、縦軸にミラー部からの反射光のレベルで規格化した信号レベルをとって、本発明の第３の実施形態の光記録媒体におけるカット部６ａからの和信号の計算結果を示すグラフ図である。
【図１４】横軸に対物レンズのラジアル方向へのシフト量をとり、縦軸にミラー部からの反射光のレベルで規格化した信号振幅をとって、本発明の第３の実施形態の光記録媒体における対物レンズのラジアル方向へのシフト量とカット部６ａからの和信号の振幅との関係の計算結果を示すグラフ図である。
【図１５】本発明の第３の実施形態の変形例の光記録媒体におけるアドレス情報が記録されている部分を示す平面図である。
【図１６】本発明の第４の実施形態の光記録媒体におけるアドレス情報が記録されている部分を示す平面図である。
【図１７】（ａ）及び（ｂ）は本発明の第４の実施形態における第１変形例の光記録媒体の一部分を示す平面図である。
【図１８】（ａ）及び（ｂ）は本発明の第４の実施形態における第２変形例の光記録媒体の一部分を示す平面図である。
【図１９】本発明の第５の実施形態の光学式情報再生装置を示すブロック図である。
【図２０】本発明の第５の実施形態の光学式情報再生装置で使用される光検出器１５の構成を示す平面図である。
【図２１】特許文献１に記載の光記録媒体におけるアドレス情報を含む構造を示す模式図である。
【図２２】横軸に光記録媒体のタンジェンシャル方向に沿った集光スポット位置をとり、縦軸にミラー部からの反射光のレベルで規格化した信号レベルをとって、特許文献１に記載の光記録媒体におけるピット部及びカット部からのラジアルプッシュプル信号の計算結果を示すグラフ図である。
【図２３】特許文献２に記載の光記録媒体におけるアドレス情報を含む構造を示す模式図である。
【図２４】横軸に光記録媒体のタンジェンシャル方向に沿った集光スポット位置をとり、縦軸にミラー部からの反射光のレベルで規格化した信号レベルをとって、特許文献２に記載の光記録媒体におけるピット部からのラジアルプッシュプル信号の計算結果を示すグラフ図である。
【図２５】横軸に対物レンズのラジアル方向へのシフト量をとり、縦軸にミラー部からの反射光のレベルで規格化した信号振幅をとって、特許文献１に記載の光記録媒体における対物レンズのラジアル方向へのシフト量とピット部及びカット部からのラジアルプッシュプル信号の振幅との関係の計算結果を示すグラフ図である。
【図２６】横軸に対物レンズのラジアル方向へのシフト量をとり、縦軸にミラー部からの反射光のレベルで規格化した信号振幅をとって、特許文献２に記載の光記録媒体における対物レンズのラジアル方向へのシフト量とピット部からのラジアルプッシュプル信号の振幅との関係の計算結果を示すグラフ図である。
【符号の説明】
１、２、５、２１、２２、２５；トラック
３ａ、３ｂ、２３、２６；ピット部
４ａ、４ｂ、６ａ、６ｂ、２４；カット部
７；半導体レーザ
８；コリメータレンズ
９；偏光ビームスプリッタ
１０；（１／４）波長板
１１；対物レンズ
１２；光記録媒体
１３；円筒レンズ
１４；レンズ
１５；光検出器
１６；プリアンプ
１７；信号処理回路
１８；復調回路
１９ａ、１９ｂ、１９ｃ、１９ｄ；受光部
２０；光スポット
【図１】
2004326904.tif 000003
【図２】
2004326904.tif 000004
【図３】
2004326904.tif 000005
【図４】
2004326904.tif 000006
【図５】
2004326904.tif 000007
【図６】
2004326904.tif 000008
【図７】
2004326904.tif 000009
【図８】
2004326904.tif 000010
【図９】
2004326904.tif 000011
【図１０】
2004326904.tif 000012
【図１１】
2004326904.tif 000013
【図１２】
2004326904.tif 000014
【図１３】
2004326904.tif 000015
【図１４】
2004326904.tif 000016
【図１５】
2004326904.tif 000017
【図１６】
2004326904.tif 000018
【図１７】
2004326904.tif 000019
【図１８】
2004326904.tif 000020
【図１９】
2004326904.tif 000021
【図２０】
2004326904.tif 000022
【図２１】
2004326904.tif 000023
【図２２】
2004326904.tif 000024
【図２３】
2004326904.tif 000025
【図２４】
2004326904.tif 000026
【図２５】
2004326904.tif 000027
【図２６】
2004326904.tif 000028